(57)【要約】      （修正有）【課題】カード読み取り機能を有する温度調整コップ台を提供する。【解決手段】底台内にヒートシンクファンを収容し、該ヒートシンクファン上にヒートシンクフィンを設け、該ヒートシンクフィン上に制御チップを設け、該制御チップは、ヒートシンクフィン上にしっかり貼り付き、該ヒートシンクファンは制御チップと電気接続し、上蓋は、底台上に覆蓋し、該上蓋側面にコップ台を設け、該コップ台底部は、制御チップ上面と直接接触し、該上蓋側面は、接続ポート及び制御スイッチを設け、該接続ポート及び制御スイッチは、制御チップと電気接続し、カード読み取りユニットは、複数のスロットを設け、該カード読み取りユニットは、軸回転可能に底台に装着され、該カード読み取りユニットは、該制御チップと電気接続し、該カード読み取りユニットは、該制御チップを介して接続ポートと接続する。【選択図】図７
0003151286.tif 000002
【実用新案登録請求の範囲】
【請求項１】
底台と、上蓋と、カード読み取りユニットと、を含み、
該底台は、該底台内に収容するヒートシンクファンを設け、該ヒートシンクファン上は、ヒートシンクフィンを接触するように設け、該ヒートシンクフィンは、熱エネルギーを伝導することに用い、該ヒートシンクフィン底部は、若干の溝を設け、空気との接触面積を増加し、ヒートシンク効果を達成し、該ヒートシンクフィン上には、制御チップを装着し、該制御チップは、熱電冷却チップを有し、該制御チップは、ヒートシンクフィン上にしっかり貼り付けられ、該ヒートシンクファン、カード読み取りユニットは、制御チップと電気接続し、
該上蓋は、底台上に覆蓋し、該上蓋は、コップ台を設け、該コップ台底部は、制御チップ上面と直接接触し、該上蓋側面は、接続ポート及び制御スイッチを設け、該接続ポートの本考案好適実施例は、ＵＳＢの接続ポートであるが、該接続ポートは、制御チップに電力源を提供し、且つ該カード読み取りユニットは、制御チップを介して接続ポートと連結し、該制御スイッチは、制御チップをオン、オフすること、及び制御チップ冷熱機能を切り換え、該接続ポートは、制御チップに電力源を提供し、
該カードユニットは、複数のスロットを有し、異なる型式のメモリカードを挿入させることに用い、該カード読み取りユニットは、調整可能に底台に装着され、該カード読み取りユニットは、該制御チップと電気接続し、該カード読み取りユニットは、制御チップを介して接続ポートと接続し、
これにより、該コップ台は、コップを載置させることができ、該接続ポートが電力源を提供し、該制御スイッチを利用し起動及び冷熱を切り換え、該制御チップは、コップ台に対して加熱又は冷却することができ、コップの温度を調整する効果を達成し、更に、該カード読み取りユニットは、制御チップを介して接続ポートと接続し、該接続ポートとコンピュータが接続時、該カード読み取りユニットは、内に接続するメモリカードの内容をコンピュータに伝送できるカード読み取り機能の温度調整コップ台。
【請求項２】
前記底台は、軸回転台を設け、該回転軸台は、軸回転可能に底台側面に装着し、該カード読み取りユニットは、軸回転台上に装着し、該カード読み取りユニットを底台内に選択的に収容し、外部に露出させない請求項１記載のカード読み取り機能を有する温度調整コップ台。
【請求項３】
前記底台両側面に複数のヒートシンク孔を設ける請求項１記載のカード読み取り機能を有する温度調整コップ台。
【請求項４】
ＵＳＢコネクタを含み、該ＵＳＢコネクタは、一端が接続ポートと接続し、該ＵＳＢコネクタの他端は、コンピュータのＵＳＢと接続し、コンピュータを該制御ユニットに電力を提供し、且つ該カード読み取りユニットは、制御チップ、接続ポート、ＵＳＢコネクタを介して、コンピュータと接続し、データを伝送する請求項１記載のカード読み取り機能を有する温度調整コップ台。
【請求項５】
車用電源コネクタを含み、該車用電源コネクタは、一端が接続ポートと接続し、該車用電源コネクタの他端は、車の電力供給源と接続し、車を該制御ユニットに電力を提供する請求項１記載のカード読み取り機能を有する温度調整コップ台。
【考案の詳細な説明】
【技術分野】
【０００１】
本考案は、温度調整コップ台に関し、特に、カード読み取り機能を有する温度調整コップ台に関する。
【背景技術】
【０００２】
水分は、人にとって不可欠なものであり、日常生活中、例えば、車の運転中、平日の職場で、往々にして水分を随時補充する必要があり、暑い夏の日において、冷たい飲み物で暑さを消し、反対に、非常に寒い冬には、暖かい飲み物で寒さを駆除する必要がある。一般に従来の飲料を低温に維持するか温度を下げる方法は、飲料を冷蔵庫内に置き、飲用時に再度取り出す必要があるが、冷蔵庫の使用は、エネルギーを消費するだけでなく、場所の制限があり、随時飲用することに便利でない。氷を使用し、飲み物の中に入れ、直接飲み物の温度を下げることができるが、氷が溶けるに伴い、飲み物の濃度及び口当たりが維持できなくなり、氷の効力は、持久することができない。更に、冷蔵庫と氷は、ただ温度を下げる効果だけを提供し、高温を保持又は温度を上昇させることはできないので、業者は、冷熱電気チップ（Thermoelectric Cooling Chip）を利用し、改良を行い、熱電冷却チップの名称は非常に多く、例えば、熱電冷却モジュール（Thermoelectric Cooling Module)、クーリングチップ、電熱冷却器 (Thermoelectric Cooler)、ペルチェ冷却器(Peltier Cooler)、ペルチェセル(Peltier Cell)等、更には、それをヒートポンプ(Heat Pump)と呼ぶ者もいて、熱電冷却チップ及びチップと従来の冷凍圧縮機を相互に比較すると、熱電冷却チップの体積が小さく、騒音がなく、冷媒を使用しないので、公害がなく、寿命が長く、倒立又は側立させ使用でき、方向の制限がなく、特に航空機又はロケットに適用し、製造価格が高いが、その後ほとんど修理が必要ない。但し、冷熱電チップの最大の欠点は、エネルギー変換効率が低いことであり、通常、４０％〜５０％の間である。従来の冷凍圧縮機の効率は、通常９５％以上である。従って、冷却チップは、大型空調又は大型冷蔵庫のような場面に用いることができない。
【０００３】
従来の冷熱温度調整コップ台構造は、底台、冷熱チップ及び制御回路等の部分を含み、そのうち、該底台上側に収容凹部を設け、該収容凹部内に導温台を設け、導熱の主容器を収容させることができ、該冷熱チップは、該底台内に収容され、２つの異性極面を有し、その曲面は、該底台の導温台に直接又は間接的に貼合し、他極面は、下導温片に結合し、制御回路は、底台の導温台内の温度を効率的に測定でき、冷熱チップを通過する直流電源を制御し、温度を一定の範囲内に保持する必要があり、該冷熱チップに制御スイッチの直流電源を導入する極性の制御を受けさせ、該導温台側に所定の温度低減又は温度上昇現象を発生することができ、該主容器内の飲料に随時温度変更させ、下導温片側に反対の温度上昇又は温度低減を発生させ、該下導温片により空気と接触面積を増進する。
【先行技術文献】
【特許文献】
【０００４】
【特許文献１】特開２００３−１０６７２９号公報
【考案の概要】
【考案が解決しようとする課題】
【０００５】
しかしながら、従来の温度調整コップ台構造は、一般家庭用電源を用いるか、又はＵＳＢ（Universal Serial Bus）を利用しパソコンの電源を取得することができるが、従来の温度調整コップ台は、パソコンのＵＳＢに接続すると同時に、該ＵＳＢを占有し、パソコンを操作使用時の制限を受け、パソコンをその他の設備に接続させることができず、不便である。
【０００６】
本考案の目的は、読み取りメモリカード読み取り機能を有する温度調整コップ台を提供することである。
【課題を解決するための手段】
【０００７】
前記の目的を達成する為、本考案のカード読み取り機能を有する温度調整コップ台は、底台及び底台上に覆蓋する上蓋を含み、該底台両側面は、複数のヒートシンク孔を設け、該底台は、軸回転台を設け、該軸回転台は、軸回転方式で底台側面に装着でき、該軸回転台を選択的に底台内に完全に収容でき、該軸回転台上は、カード読み取りユニットを設け、該カード読み取りユニットは、複数のスロットを設け、異なる型式のメモリカードを挿入させることに用い、該底台は、該底台内に収容するヒートシンクファンを設け、該ヒートシンクファン上は、ヒートシンクフィンを接触するように設け、該ヒートシンクフィンは、熱エネルギーを伝導することに用い、該ヒートシンクフィン底部は、若干の溝を設け、空気との接触面積を増加し、ヒートシンク効果を達成し、該ヒートシンクフィン上には、制御チップを装着し、該制御チップは、熱電冷却チップを有し、該制御チップは、ヒートシンクフィン上にしっかり貼り付けられ、該ヒートシンクファン、カード読み取りユニットは、制御チップと電気接続する。該上蓋は、コップ台を設け、該コップ台底部は、制御チップ上面と直接接触し、該上蓋側面は、接続ポート及び制御スイッチを設け、該接続ポートの本考案好適実施例は、ＵＳＢの接続ポートであるが、該接続ポートは、制御チップに電力源を提供し、且つ該カード読み取りユニットは、制御チップを介して接続ポートと連結し、該制御スイッチは、制御チップをオン、オフすること、及び制御チップ冷熱機能を切り換えることに用いる。
本考案は下記の特徴を有する。
（１）底台と、上蓋と、カード読み取りユニットと、を含み、
該底台は、該底台内に収容するヒートシンクファンを設け、該ヒートシンクファン上は、ヒートシンクフィンを接触するように設け、該ヒートシンクフィンは、熱エネルギーを伝導することに用い、該ヒートシンクフィン底部は、若干の溝を設け、空気との接触面積を増加し、ヒートシンク効果を達成し、該ヒートシンクフィン上には、制御チップを装着し、該制御チップは、熱電冷却チップを有し、該制御チップは、ヒートシンクフィン上にしっかり貼り付けられ、該ヒートシンクファン、カード読み取りユニットは、制御チップと電気接続し、
該上蓋は、底台上に覆蓋し、該上蓋は、コップ台を設け、該コップ台底部は、制御チップ上面と直接接触し、該上蓋側面は、接続ポート及び制御スイッチを設け、該接続ポートの本考案好適実施例は、ＵＳＢの接続ポートであるが、該接続ポートは、制御チップに電力源を提供し、且つ該カード読み取りユニットは、制御チップを介して接続ポートと連結し、該制御スイッチは、制御チップをオン、オフすること、及び制御チップ冷熱機能を切り換え、該接続ポートは、制御チップに電力源を提供し、
該カードユニットは、複数のスロットを有し、異なる型式のメモリカードを挿入させることに用い、該カード読み取りユニットは、調整可能に底台に装着され、該カード読み取りユニットは、該制御チップと電気接続し、該カード読み取りユニットは、制御チップを介して接続ポートと接続し、
これにより、該コップ台は、コップを載置させることができ、該接続ポートが電力源を提供し、該制御スイッチを利用し起動及び冷熱を切り換え、該制御チップは、コップ台に対して加熱又は冷却することができ、コップの温度を調整する効果を達成し、更に、該カード読み取りユニットは、制御チップを介して接続ポートと接続し、該接続ポートとコンピュータが接続時、該カード読み取りユニットは、内に接続するメモリカードの内容をコンピュータに伝送できるカード読み取り機能の温度調整コップ台。
（２）前記底台は、軸回転台を設け、該回転軸台は、軸回転可能に底台側面に装着し、該カード読み取りユニットは、軸回転台上に装着し、該カード読み取りユニットを底台内に選択的に収容し、外部に露出させない（１）記載のカード読み取り機能を有する温度調整コップ台。
（３）前記底台両側面に複数のヒートシンク孔を設ける（１）記載のカード読み取り機能を有する温度調整コップ台。
（４）ＵＳＢコネクタを含み、該ＵＳＢコネクタは、一端が接続ポートと接続し、該ＵＳＢコネクタの他端は、コンピュータのＵＳＢと接続し、コンピュータを該制御ユニットに電力を提供し、且つ該カード読み取りユニットは、制御チップ、接続ポート、ＵＳＢコネクタを介して、コンピュータと接続し、データを伝送する（１）記載のカード読み取り機能を有する温度調整コップ台。
（５）車用電源コネクタを含み、該車用電源コネクタは、一端が接続ポートと接続し、該車用電源コネクタの他端は、車の電力供給源と接続し、車を該制御ユニットに電力を提供する（１）記載のカード読み取り機能を有する温度調整コップ台。
【考案の効果】
【０００８】
本考案は、コンピュータに接続使用時、コンピュータのＵＳＢを占有せず、使用者が使用しない温度調整コップ台を取り外す必要なく、直接メモリカードを該カード読み取りユニットに挿入し、メモリカードの内容を読み取ることができ、且つ該カード読み取りユニットは、異なる規格のスロットを有し、異なる型式のメモリカードを接続挿入させ、使用者がメモリカードの型式により対応するカード読み取り設備に換える必要がない。更に、本考案は、車が該制御ユニットに電力を供給でき、使用者が長時間車を運転時、座席上で冷たい飲み物又は温かい飲み物を享受でき、購入した冷たい又は暖かい飲み物の温度を長時間維持することができる。また、本考案の軸回転台は、軸回転方式を利用し底台内に収納でき、空間を占有せず、不注意で衝突し、該カード読み取りユニットが損壊すること、又は飲み物を利用する時、水滴が該カード読み取りユニットに入り、機能を失効することを回避する。
【図面の簡単な説明】
【０００９】
【図１】本考案のカード読み取り機能を有する温度調整コップ台の立体分解説明図である。
【図２】本考案のカード読み取り機能を有する温度調整コップ台の立体外観説明図である。
【図３】図２の他の角度の立体外観説明図である。
【図４】図３の使用状態の立体外観説明図である。
【図５】図３の断面説明図である。
【図６】図４の断面説明図である。
【図７】本考案のカード読み取り機能を有する温度調整コップ台の使用状態立体説明図である。
【図８】本考案のカード読み取り機能を有する温度調整コップ台のコンピュータに接続した立体説明図である。
【考案を実施するための形態】
【００１０】
本考案は、カード読み取り機能を有する温度調整コップ台に関し、図１〜図８に示すように、底台１及び底台１上に覆蓋するように装着する上蓋２を含み、そのうち、
該底台１両側面は、複数のヒートシンク孔１１を設け、該底台１は、軸回転台３を設け、該軸回転台３は、軸回転方式で底台１側面に装着でき、該軸回転台３を選択的に底台１内に完全に収容でき、該軸回転台３上は、カード読み取りユニット３１を設け、該カード読み取りユニット３１は、複数のスロット３１１を設け、異なる型式のメモリカード８を挿入させることに用い、該底台１は、該底台１内に収容するヒートシンクファン４２を設け、該ヒートシンクファン４２上は、ヒートシンクフィン４を接触するように設け、該ヒートシンクフィン４は、熱エネルギーを伝導することに用い、該ヒートシンクフィン４底部は、若干の溝を設け、空気との接触面積を増加し、ヒートシンク効果を達成し、該ヒートシンクフィン４上には、制御チップ５を装着し、該制御チップ５は、熱電冷却チップ(Thermoelectric Cooling Chip)を有し、該制御チップ５は、ヒートシンクフィン４上にしっかり貼り付けられ、該ヒートシンクファン４２、カード読み取りユニット３１は、制御チップ５と電気接続する。
【００１１】
該上蓋２は、コップ台２１を設け、該コップ台２１底部は、制御チップ５上面と直接接触し、該上蓋２側面は、接続ポート２３及び制御スイッチ２２を設け、該接続ポート２３の本考案好適実施例は、ＵＳＢ（Universal Serial Bus）用の接続ポート２３であるが、該接続ポート２３は、制御チップ２２に電力源を提供し、且つ該カード読み取りユニット３１は、制御チップ５を介して接続ポート２３と連結し、該制御スイッチ２２は、制御チップ５をオン、オフすること、及び制御チップ５の冷熱機能を切り換えることに用いる。
【００１２】
本考案の該コップ台２１は、通常の口径サイズのコップを放置することができ、該接続ポート２３が電力源を提供し、該制御スイッチ２２を利用し、冷熱を起動、切り換え、該制御チップ５は、コップ台２１に対して加熱又は冷却でき、コップ台２１の温度を調整する機能を達成し、同時に、該制御チップ５の電熱冷却チップを通電した後、冷たい面と暖かい面を発生し、電極の反転を利用し、冷熱を交換し、暖かい面にコップ台２１が接触する時、コップ台２１内に収容するコップが熱を受けて加温される。反対に、冷たい面がコップ台２１に接触する時、コップ台２１内に収容したコップを冷やし、減温するが、冷たい面がコップ台２１に向く時、同時に暖かい面が加熱を持続すると、損壊の可能性があるので、該暖かい面は、ヒートシンクフィン４により熱エネルギーを均一にヒートシンクフィン４に伝導し、ヒートシンクフィン４の溝４１を利用し接触面積を拡大し、ヒートシンクファン４２が熱エネルギーを、ヒートシンク孔１１を介して外に逃がす。
【００１３】
本考案は、更に、ＵＳＢコネクタ６（Universal Serial Bus Connector）を含み、該ＵＳＢコネクタ６は、一端が接続ポート２３と接続し、ＵＳＢコネクタ６のもう一端は、コンピュータ９のＳＵＢと接続し、本考案はコンピュータ９の電力を取得し、起動でき、使用者がオフィスにいる時、本考案の温度調整コップ台により随時暖かい飲み物又は冷たい飲み物を享受できる。本考案のカード読み取りユニット３１は、制御ユニットと電気接続し、制御ユニットは、ＵＳＢコネクタ６を介してコンピュータ９を接続する時、該カード読み取りユニット３１は、接続ポート２３及びＵＳＢコネクタ６を介してコンピュータ９と接続し、メモリカード８がカード読み取りユニット３１のスロット３１１に挿入される時、コンピュータ９がＵＳＢコネクタ６を介してメモリカード８と接続し、データを読み取るので、本考案は、コンピュータ９に接続使用時、コンピュータ９のＵＳＢを占有せず、使用者が使用しない温度調整コップ台を取り外す必要がなく、メモリカード８を該カード読み取りユニット３１に挿入しメモリカード８の内容を読み取り、且つ該カード読み取りユニット３１は、異なる規格のスロット３１１を有し、異なる型式のメモリカード８を接続させ、使用者がメモリカード８の型式により対応するカード読み取り設備に交換する必要がない。
【００１４】
更に、本考案は、更に、車用電源コネクタ７を含み、該車用電源コネクタ７は、一端が接続ポート２３と接続し、該車用電源コネクタ７のもう一端は、車用たばこライターソケット（cigarette lighter socket）に接続し、車が該制御ユニットに電力を提供でき、使用者が車を運転時、座席上で冷たい飲み物又は温かい飲み物を享受でき、購入した暖かい又は冷たい温度を長時間維持することができる。
【００１５】
また、本考案の軸回転台３は、軸回転方式を利用し底台１内に収容することができるので、カード読み取り機能を使用しない時、該カード読み取りユニット３１を底台１内に収容でき、空間を占有せず、不注意で衝突し、該カード読み取りユニット３１が損壊すること、又は飲み物を利用する時、水滴が該カード読み取りユニット３１に入り、機能を失効することを回避する。カード読み取り機能が必要な時は、軸回転台３を回転し底台１階に突出させ、該カード読み取りユニット３１を正常に使用できる。
【符号の説明】
【００１６】
１  底台
１１  ヒートシンク孔
２  上蓋
２１  コップ台
２２  制御スイッチ
２３  接続ポート
３  軸回転台
３１  カード読み取りユニット
３１１  スロット
４  ヒートシンクフィン
４１  溝
４２  ヒートシンクファン
５  制御チップ
６  ＵＳＢコネクタ
７  車用電源コネクタ
８  メモリカード
９  コンピュータ
【図１】
0003151286.tif 000003
【図２】
0003151286.tif 000004
【図３】
0003151286.tif 000005
【図４】
0003151286.tif 000006
【図５】
0003151286.tif 000007
【図６】
0003151286.tif 000008
【図７】
0003151286.tif 000009
【図８】
0003151286.tif 000010